(57)【要約】      （修正有）【課題】金属筐体をアンテナとして利用するために、通信装置の無線信号を送信及び受信する通信装置用アンテナを提供する。【解決手段】通信装置１０のアンテナの構成は、第１のアンテナ１６と、第２のアンテナ１８とを含む。第１のアンテナ１６は、第１の金属部２０と、第２の金属部２２と、第３の金属部２４と、第４の金属部２６とを含む。好ましい実施形態では、第１の金属部２０は真っ直ぐな部分であり、第２の金属部２２も真っ直ぐな部分であり、第１の金属部２０は第２の金属部２２よりも長い。第３の金属部２４は、第１の金属部２０と第２の金属部２２との間に延在し且つ接続されている。好ましい実施形態では、第３の金属部２４は、金属筐体１２の第１の側面１４ａの近傍に位置している。好ましい実施形態では、第４の金属部２６は金属筐体１２の第２の側面１４ｂに接続されている。【選択図】図１
0003192177.tif 000002
【実用新案登録請求の範囲】
【請求項１】
第１の側面及び該第１の側面に対応する第２の側面を有する金属筐体；
第１の金属部と、第２の金属部と、該第１の金属部と該第２の金属部との間に延在し且つ接続され、前記金属筐体の第１の側面の近傍に位置する第３の金属部と、前記金属筐体に接続された第４の金属部とを含む第１のアンテナ；
信号供給点；
接地点；及び
前記信号供給点及び前記第１のアンテナの第２の金属部に接続された第１の金属部と、前記接地点及び前記第１のアンテナの第４の金属部に接続された第２の金属部と、該第１の金属部と該第２の金属部との間に延在し且つ接続された第３の金属部とを含む第２のアンテナ；
を含む通信装置用アンテナであって、
前記金属筐体と前記第１のアンテナとの間にスリットが形成されている、通信装置用アンテナ。
【請求項２】
前記第１のアンテナの第１の金属部は真っ直ぐな部分であり、前記第１のアンテナの第２の金属部は真っ直ぐな部分であり、前記第１のアンテナの第１の金属部は、前記第１のアンテナの第２の金属部よりも長い、請求項１に記載の通信装置用アンテナ。
【請求項３】
前記第２のアンテナの第１の金属部は、前記第１のアンテナの第１の金属部と第２の金属部との間に位置し、前記第２のアンテナの第２の金属部は、前記第１のアンテナの第１の金属部と第４の金属部との間に位置する、請求項１に記載の通信装置用アンテナ。
【考案の詳細な説明】
【技術分野】
【０００１】
本考案は通信装置用アンテナに関し、より具体的には、通信装置の無線信号を送信及び受信するために該通信装置のアンテナとして利用される金属筐体に関する。
【背景技術】
【０００２】
モバイル通信製品等の従来の通信装置の製品開発過程で、製造業者は、コストを考慮して主にプラスチック筐体をアンテナの基本放射特性維持のために使っている。しかしながら、現在、アップル社のｉＰｈｏｎｅやＭａｃｂｏｏｋによって金属筐体のトレンドが起こっている。金属筐体は軽量で、放熱性に優れ、強度や衝撃耐性が高く、見た目が良く、抗電磁性や再利用可能特性を有するため、金属筐体の人気がますます高まっている。従って、新世代のモバイル通信製品の開発では主に金属筐体が使用されている。例えば、Ａｈｎらの米国特許第８０５４２３１号には、モバイル装置のスロットアンテナとして使用可能なスロットを有する金属ケースが教示されている。だが、該スロットは金属ケースの外観をあからさまに損ない得るため、該スロットを金属ケースの特定領域に対応する位置に配置する必要がある。従って、金属ケースの外観をあからさまに損なうことなく、通信上の目的を実現するために電磁波を金属ケースに通す適切なアンテナを設計することが重要である。
【考案の概要】
【考案が解決しようとする課題】
【０００３】
従って、本考案は、金属筐体をアンテナとして利用するために、通信装置の無線信号を送信及び受信する通信装置用アンテナを提供することを目的とする。
【課題を解決するための手段】
【０００４】
本考案の一実施形態によれば、通信装置用アンテナは、金属筐体、第１のアンテナ、信号供給点、接地点及び第２のアンテナを含む。金属筐体は、第１の側面及び該第１の側面に対応する第２の側面を有する。第１のアンテナは、第１の金属部と、第２の金属部と、第３の金属部と、第４の金属部とを含む。第３の金属部は、第１の金属部と第２の金属部との間に延在し且つ接続され、第３の金属部は金属筐体の第１の側面の近傍に位置している。第４の金属部は金属筐体に接続されている。第２のアンテナは、第１の金属部と、第２の金属部と、第３の金属部とを含む。第２のアンテナの第１の金属部は信号供給点及び第１のアンテナの第２の金属部に接続されている。第２のアンテナの第２の金属部は接地点及び第１のアンテナの第４の金属部に接続されている。第２のアンテナの第３の金属部は第２のアンテナの第１の金属部と第２の金属部との間に延在し且つ接続されている。金属筐体と第１のアンテナとの間にスリットが形成されている。
【０００５】
第１のアンテナの第１の金属部は真っ直ぐな部分であり、第１のアンテナの第２の金属部は真っ直ぐな部分であり、第１のアンテナの第１の金属部は、第１のアンテナの第２の金属部よりも長いことが好ましい。
【０００６】
第２のアンテナの第１の金属部は、第１のアンテナの第１の金属部と第２の金属部との間に位置し、第２のアンテナの第２の金属部は、第１のアンテナの第１の金属部と第４の金属部との間に位置することが好ましい。
【０００７】
様々な図及び図面に示す下記の好ましい実施形態の詳細な説明を読むことで、本考案の上記の及び他の目的が当業者に明らかとなるだろう。
【図面の簡単な説明】
【０００８】
【図１】図１は、本考案の一実施形態に係る通信装置をある角度で見た場合のアンテナの構成を示す図である。
【図２】図２は、本考案の一実施形態に係る通信装置を他の角度で見た場合のアンテナの構成を示す図である。
【考案を実施するための形態】
【０００９】
図１及び図２は、本考案の一実施形態に係る、金属筐体１２を有する通信装置１０を示す図である。金属筐体１２は、第１の側面１４ａと、第１の側面１４ａに対応する場所に位置する第２の側面１４ｂを有する。
【００１０】
通信装置１０のアンテナの構成は、第１のアンテナ１６と、第２のアンテナ１８とを含む。第１のアンテナ１６は、第１の金属部２０と、第２の金属部２２と、第３の金属部２４と、第４の金属部２６とを含む。好ましい実施形態では、第１の金属部２０は真っ直ぐな部分であり、第２の金属部２２も真っ直ぐな部分であり、第１の金属部２０は第２の金属部２２よりも長い。
【００１１】
第３の金属部２４は、第１の金属部２０と第２の金属部２２との間に延在し且つ接続されている。好ましい実施形態では、第３の金属部２４は、金属筐体１２の第１の側面１４ａの近傍に位置している。
【００１２】
好ましい実施形態では、第４の金属部２６は金属筐体１２の第２の側面１４ｂに接続されている。
【００１３】
第１の金属部２０、第２の金属部２２、第３の金属部２４及び第４の金属部２６は共にアンテナトレース（antenna  trace）を規定する。さらに、第１のアンテナ１６が短絡しないように、金属筐体１２と第１のアンテナ１６との間にスリット１５が形成されている。また、スリット１５は本考案の実施形態に開示の形状及び構成に限定されない。
【００１４】
通信装置１０内にはプリント基板３０がさらに配置されている。プリント基板３０は信号供給点３２及び接地点３４を含む。
【００１５】
第２のアンテナ１８は、第１の金属部３６と、第２の金属部３８と、第１の金属部３６と第２の金属部３８との間に延在し且つ接続された第３の金属部４０とを含む。第１の金属部３６は、第１のアンテナ１６の第１の金属部２０と第２の金属部２２との間に位置し、第２の金属部３８は、第１のアンテナ１６の第１の金属部２０と第４の金属部２６との間に位置している。第１の金属部３６は、信号供給点３２及び第１のアンテナ１６の第２の金属部２２に接続されている。第２の金属部３８は、接地点３４及び第１のアンテナ１６の第４の金属部２６に接続されている。
【００１６】
上記の構成によれば、第１のアンテナ１６は、第１の周波数に適用可能な大きい方のループアンテナとして機能するように構成され、第２のアンテナ１８は、第２の周波数に適用可能な小さい方のループアンテナとして機能するように構成されている。従って、通信装置１０の電源を入れて、信号供給点３２及び接地点３４を介して第１のアンテナ１６と第２のアンテナ１８とに電力が供給されると、金属筐体は、通信装置１０の無線信号を送信及び受信する放射部として機能することができる。
【００１７】
上記の説明によれば、本考案の効果及び利点として以下が挙げられる。
【００１８】
ａ）金属筐体の外観があからさまに損なわれることがなく、先行技術と比べて金属筐体の外観が良好である。
【００１９】
ｂ）アンテナが金属筐体の端に配置されており、先行技術と比べてアンテナが占有するスペースが少ない。
【００２０】
当業者であれば、本考案の教示を維持しつつ、上記の装置及び方法に数々の変更及び修正が加えられ得ることが容易に分かる。従って、上記の開示は、添付の請求項の範囲によってのみ限定されると解釈すべきである。
【符号の説明】
【００２１】
１０  通信装置
１２  金属筐体
１４ａ  第１の側面
１４ｂ  第２の側面
１５  スリット
１６  第１のアンテナ
１８  第２のアンテナ
２０  第１のアンテナの第１の金属部
２２  第１のアンテナの第２の金属部
２４  第１のアンテナの第３の金属部
２６  第１のアンテナの第４の金属部
３２  信号供給点
３４  接地点
３６  第２のアンテナの第１の金属部
３８  第２のアンテナの第２の金属部
４０  第２のアンテナの第３の金属部
【図１】
0003192177.tif 000003
【図２】
0003192177.tif 000004